(57)【要約】【課題】生体情報測定装置のダミー機及び被測定者以外の人物を使った不正な測定を効果的に防止する。【解決手段】  被測定者の生体情報の測定を実行する測定手段と、測定手段が実行した測定の結果を出力する出力手段と、所定表示方法に従って識別表示を実行する識別表示手段と、識別表示手段が実行する識別表示の識別表示方法に関する信号を受信する受信手段と、を有し、測定手段は、所定表示方法に従って識別表示手段が識別表示を実行している時に、被測定者の生体情報の測定を実行する。更に、測定が実行されている時の被測定者及び識別表示手段を撮影可能な撮影手段と、撮影手段により撮影された識別表示手段における識別表示が、所定表示方法に従っているか否かに応じて、撮影手段により撮影された識別表示手段を備える生体情報測定装置が、測定に使用された生体情報測定装置であるか否かを判別する。【選択図】図１
2013192859.tif 000002
【特許請求の範囲】
【請求項１】
所定表示方法に従って識別表示手段において識別表示を実行しながら、被測定者の生体情報の測定を実行する生体情報測定装置と、
前記識別表示手段が実行する前記識別表示の前記所定表示方法に関する信号を前記生体情報測定装置へ送信する送信手段と、
前記測定が実行されている時の、前記被測定者及び前記識別表示手段を撮影可能な撮影手段と、を有すること
を特徴とする生体情報測定システム。
【請求項２】
前記生体情報測定システムは、前記識別表示手段が実行する前記識別表示の前記所定表示方法を決定する決定手段を有することを特徴とする請求項１に記載の生体情報測定システム。
【請求項３】
前記生体情報測定システムは、前記撮影手段により撮影された前記識別表示手段における識別表示が、前記送信手段により送信された前記所定表示方法に従っているか否かに応じて、前記撮影手段により撮影された前記識別表示手段を備える生体情報測定装置が、前記測定に使用された生体情報測定装置であるか否かを判別する判別手段と、を有することを特徴とする請求項１又は請求項２に記載の生体情報測定システム。
【請求項４】
前記決定手段は、前回の測定時に決定した所定表示方法とは異なる内容の所定表示方法を決定する構成としたことを特徴とする請求項２に記載の生体情報測定システム。
【請求項５】
前記判別手段は、前記撮影手段が撮影した撮影データをリアルタイムに分析することにより、前記測定が実行されている時に前記判別を実行することを特徴とする請求項３に記載の生体情報測定システム。
【請求項６】
前記生体情報測定システムは、被測定者の画像を予め記憶可能な記憶手段を有し、
前記判別手段は、前記撮影手段により撮影された被測定者を、前記記憶手段に記憶されている被測定者の画像と比較して、同一人物であるか否かの判別を実行することが可能な構成としたこと
を特徴とする請求項３又は請求項５に記載の生体情報測定システム。
【請求項７】
前記識別表示手段は発光部であって、前記所定表示方法は、前記発光部のオン・オフの切替え、及び／又は，発光色の変更、に関するものであることを特徴とする請求項１乃至請求項６のうち、いずれか１に記載の生体情報測定システム。
【請求項８】
前記識別表示手段は画像表示部であって、前記所定表示方法は、前記画像表示部における所定画像の表示と非表示との切替え、及び／又は，前記所定画像の内容の変更、に関するものであることを特徴とする請求項１乃至請求項７のうち、いずれか１に記載の生体情報測定システム。
【請求項９】
前記生体情報測定装置は、前記被測定者の前記生体情報である呼気中に含まれる成分の分析を実行する呼気分析装置であり、
前記撮影手段は、前記被測定者が前記呼気分析装置に対して呼気を吹込んでいる時の、前記被測定者及び前記識別表示手段を撮影可能な構成としたこと
を特徴とする請求項１乃至請求項８のうち、いずれか１に記載の生体情報測定システム。
【請求項１０】
被測定者の生体情報の測定を実行する測定手段と、
前記測定手段が実行した測定の結果を出力する出力手段と、
所定表示方法に従って識別表示を実行する識別表示手段と、
前記識別表示手段が実行する前記識別表示の前記識別表示方法に関する信号を受信する受信手段と、を有し、
前記測定手段は、前記所定表示方法に従って前記識別表示手段が前記識別表示を実行している時に、前記被測定者の前記生体情報の測定を実行すること
を特徴とする生体情報測定装置。
【請求項１１】
前記生体情報測定装置は、前記測定が実行されている時の、前記被測定者及び前記識別表示手段を撮影可能な撮影手段を備えることを特徴とする請求項１０に記載の生体情報測定装置。
【請求項１２】
所定表示方法に従って識別表示手段において識別表示を実行しながら、被測定者の生体情報の測定を実行する測定工程と、
前記識別表示手段が実行する前記識別表示の前記所定表示方法を決定する決定工程と、
前記測定が実行されている時の、前記被測定者及び前記識別表示手段を撮影する撮影工程と、
前記撮影工程により撮影された前記識別表示手段における識別表示が、前記決定工程により決定された前記所定表示方法に従っているか否かに応じて、前記撮影工程により撮影された前記識別表示手段を備える生体情報測定装置が、前記測定に使用された生体情報測定装置であるか否かを判別する判別工程と、を有すること
を特徴とする生体情報測定方法。
【発明の詳細な説明】
【技術分野】
【０００１】
本発明は、被測定者の呼気のアルコール濃度その他の生体情報を測定するための生体情報測定システム、生体情報測定装置、及び生体情報測定方法に関する。
【背景技術】
【０００２】
運送事業分野等においては、運転者（被測定者）の飲酒運転を防止するための運行管理として、アルコール検知器を用いて被測定者の呼気のアルコール濃度の測定を行い、被測定者のアルコール摂取の有無を確認することが行われている。この測定は、被測定者の本人性確認のために測定者（管理者）が立ち会う対面形式で実施されることが好ましいが、被測定者が遠隔地で乗務を終了又は開始するような場合においては、測定者が対面形式で本人性確認を行うことができない場合もある。そのような場合の確認は、被測定者に携帯型のアルコール検知器を携行させ、それを用いて被測定者が行った測定の結果を、通信手段を介して測定者が受け取る形式で実施される。測定者は、前記立会いによる確認に替えて、被測定者が測定装置を持って測定する様子を撮影手段によって撮影した映像で確認し、被測定者本人が測定を行ったと判別するようにしている。
【０００３】
しかしながら、被測定者がアルコール検知器のダミー機に対して呼気の吹込み仕草をする姿を撮影手段により撮影されながら、被測定者とは別人である飲酒していない人物が、撮影手段に映らない位置でアルコール検知器に対して呼気の吹込みを行う、いわゆる替え玉による不正な測定が行われることがある。被測定者が、本物のアルコール検知器に呼気の吹込みを行っているように見せかけた画像を、測定時の証拠として測定者（管理者）に提出できてしまうため、たとえ被測定者本人が飲酒状態であったとしても、飲酒していないような測定結果となってしまうこととなる。従って、替え玉による不正な測定を防止することが求められている。
【０００４】
この点、特許文献１では、被測定者が呼気の吹込みを行うための呼気吹込ユニットに、撮影時に発光する被写ランプを設けた呼気アルコール測定装置を提案している。この装置を用いた測定では、被写ランプが発光している呼気吹込ユニットに呼気の吹込みを行う被測定者を撮影することによって、被写ランプが発光しない偽物の呼気アルコール測定装置を用いた替え玉による不正な測定を抑止することを目指している。
【先行技術文献】
【特許文献】
【０００５】
【特許文献１】特開２００９−２０５４３２号公報
【発明の概要】
【発明が解決しようとする課題】
【０００６】
しかしながら、特許文献１に記載の呼気アルコール測定装置は、吹込まれた空気の体積が所定の体積以上と判断されたときに被写ランプを単に点灯させる構成である。そのため、被写ランプの発光方法が被測定者にとって容易に予測し易いため、ダミーのアルコール測定装置を準備し易く、替え玉による不正の防止は不十分である。
【０００７】
そこで本発明は、被測定者本人と共に撮影された測定装置が、実際の測定に使用された真正なものであるかを判別することができ、これにより、ダミー機及び被測定者以外の人物を使った不正な測定をより効果的に防止可能な、生体情報測定システム、生体情報測定装置、及び生体測定方法を提供することを目的とする。
【課題を解決するための手段】
【０００８】
上記課題を解決するために、本発明の生体情報測定システムは、所定表示方法に従って識別表示手段において識別表示を実行しながら、被測定者の生体情報の測定を実行する生体情報測定装置と、前記識別表示手段が実行する前記識別表示の前記所定表示方法に関する信号を前記生体情報測定装置へ送信する送信手段と、前記測定が実行されている時の、前記被測定者及び前記識別表示手段を撮影可能な撮影手段と、を有することを特徴とする。
【０００９】
また、本発明の生体情報測定システムは、前記識別表示手段が実行する前記識別表示の前記所定表示方法を決定する決定手段を有することを特徴とする。
【００１０】
また、本発明の生体情報測定システムは、前記撮影手段により撮影された前記識別表示手段における識別表示が、前記送信手段により送信された前記所定表示方法に従っているか否かに応じて、前記撮影手段により撮影された前記識別表示手段を備える生体情報測定装置が、前記測定に使用された生体情報測定装置であるか否かを判別する判別手段と、を有することを特徴とする。
【００１１】
また、本発明の生体情報測定システムにおける前記決定手段は、前回の測定時に決定した所定表示方法とは異なる内容の所定表示方法を決定する構成としたことを特徴とする。
【００１２】
また、本発明の生体情報測定システムにおける前記判別手段は、前記撮影手段が撮影した撮影データをリアルタイムに分析することにより、前記測定が実行されている時に前記判別を実行することを特徴とする。
【００１３】
また、本発明の生体情報測定システムは、被測定者の画像を予め記憶可能な記憶手段を有し、前記判別手段は、前記撮影手段により撮影された被測定者を、前記記憶手段に記憶されている被測定者の画像と比較して、同一人物であるか否かの判別を実行することが可能な構成としたことを特徴とする。
【００１４】
また、本発明の生体情報測定システムにおける前記識別表示手段は発光部であって、前記所定表示方法は、前記発光部のオン・オフの切替え、及び／又は，発光色の変更、に関するものであることを特徴とする。
【００１５】
また、本発明の生体情報測定システムにおける前記識別表示手段は画像表示部であって、前記所定表示方法は、前記画像表示部における所定画像の表示と非表示との切替え、及び／又は，前記所定画像の内容の変更、に関するものであることを特徴とする。
【００１６】
また、本発明の生体情報測定システムにおける前記生体情報測定装置は、前記被測定者の前記生体情報である呼気中に含まれる成分の分析を実行する呼気分析装置であり、前記撮影手段は、前記被測定者が前記呼気分析装置に対して呼気を吹込んでいる時の、前記被測定者及び前記識別表示手段を撮影可能な構成としたことを特徴とする。
【００１７】
また、本発明の生体情報測定装置は、被測定者の生体情報の測定を実行する測定手段と、前記測定手段が実行した測定の結果を出力する出力手段と、所定表示方法に従って識別表示を実行する識別表示手段と、前記識別表示手段が実行する前記識別表示の前記識別表示方法に関する信号を受信する受信手段と、を有し、前記測定手段は、前記所定表示方法に従って前記識別表示手段が前記識別表示を実行している時に、前記被測定者の前記生体情報の測定を実行することを特徴とする。
【００１８】
また、本発明の生体情報測定装置は、前記測定が実行されている時の、前記被測定者及び前記識別表示手段を撮影可能な撮影手段を備えることを特徴とする。
【００１９】
また、本発明の生体情報測定方法は、所定表示方法に従って識別表示手段において識別表示を実行しながら、被測定者の生体情報の測定を実行する測定工程と、前記識別表示手段が実行する前記識別表示の前記所定表示方法を決定する決定工程と、前記測定が実行されている時の、前記被測定者及び前記識別表示手段を撮影する撮影工程と、前記撮影工程により撮影された前記識別表示手段における識別表示が、前記決定工程により決定された前記所定表示方法に従っているか否かに応じて、前記撮影工程により撮影された前記識別表示手段を備える生体情報測定装置が、前記測定に使用された生体情報測定装置であるか否かを判別する判別工程と、を有することを特徴とする。
【発明の効果】
【００２０】
本発明によれば、被測定者本人と共に撮影された測定装置が、実際の測定に使用された真正なものであるかを判別ことができ、これにより、ダミー機及び被測定者以外の人物を使った不正な測定を効果的に防止することができる。
【図面の簡単な説明】
【００２１】
【図１】本発明の第１実施形態に係る生体情報測定システムの概略構成を示す概念図である。
【図２】本発明の第１実施形態に係る生体情報測定装置の構成を示す正面図である。
【図３】本発明の第１実施形態に係る生体情報測定システムの構成を示すブロック図である。
【図４】本発明の第１実施形態に係る生体情報測定方法の処理の流れを示すフローチャートである。
【図５】第２実施形態の生体情報測定システムの概略構成を示す概念図である。
【図６】カメラ付き生体情報測定装置の構成を示す正面図である。
【発明を実施するための形態】
【００２２】
［第１実施形態］
以下、本発明の第１実施形態に係る生体情報測定システム及び生体情報測定装置について、図面を参照しつつ説明する。図１は、本実施形態に係る生体情報測定システム１０の概略構成を示す概念図、図２は、本実施形態に係る生体情報測定装置１００の構成を示す正面図、図３は、本実施形態に係る生体情報測定システム１０の構成を示すブロック図である。
【００２３】
図１に示すように、生体情報測定システム１０は、発光部１２０を備える生体情報測定装置１００と、カメラ２２０と、生体情報測定装置１００の通信コネクタ１３０を介して相互に通信可能に接続された第１端末機２００と、第１端末機２００と相互に通信可能な第２端末機３００と、を備える。
【００２４】
［生体情報測定装置］
生体情報測定装置１００は、所定表示方法に従って識別表示手段において識別表示を実行しながら、被測定者の生体情報の測定を実行する生体情報測定装置である。本実施形態では、一例として、被測定者の呼気中に含まれる成分の分析を実行する呼気分析装置、特にアルコールの濃度を測定可能なアルコール検知器として構成する場合を説明する。図２及び図３に示すように、生体情報測定装置１００は、制御部１０１、ガス検出部１１０、識別表示手段としての発光部１２０、通信コネクタ１３０、表示部１４１、操作部１４２、電源スイッチ１４３、メモリ１４４、及び、電源回路１４５を備える。よって、生体情報測定装置１００は、被測定者の生体情報の測定を実行する測定手段と、測定手段が実行した測定の結果を出力する出力手段と、所定表示方法に従って識別表示を実行する識別表示手段と、識別表示手段が実行する識別表示の識別表示方法に関する信号を受信する受信手段と、を有する。
【００２５】
制御部１０１は、生体情報測定装置１００の各構成部材の動作を制御する。
本実施形態において、被測定者の生体情報の測定を実行する測定手段は、ガス検出部１１０として構成され、後述のように、所定表示方法に従って識別表示手段が識別表示を実行している時に、被測定者の生体情報の測定を実行するようになっている。ガス検出部１１０は、被測定者の呼気中に含まれるアルコール（成分）の濃度（生体情報）を測定可能に構成されており、図２に示すように、マウスピース１１１を備える。マウスピース１１１の両端には、吹込口１１２及び排気口１１３がそれぞれ形成されており、被測定者Ｐが吹込口１１２をくわえて息を吹込むと、不図示のセンサによって、マウスピース１１１内に吹込まれた呼気中のアルコール濃度が測定され、吹込まれた息は、排気口１１３から排出される。このガス検出部１１０は、一般のアルコール検出器に用いられる呼気分析のための構成を用いればよいため、詳細な説明は省略する。
【００２６】
本実施形態において、所定表示方法に従って識別表示を実行する識別表示手段は、発光部１２０として構成され、例えば、電球、ＬＥＤ（Ｌｉｇｈｔ  Ｅｍｉｔｔｉｎｇ  Ｄｉｏｄｅ：発光ダイオード）、ＥＬ素子（エレクトロルミネッセンス素子）を用いることができる。本実施形態において、発光部１２０は、外部機器としての第２端末機３００が発する発光指示信号よって、発光（識別表示）を実行する。
【００２７】
本発明において、識別表示手段が実行する識別表示は、撮影手段により生体情報測定装置の識別表示手段を撮影した場合に、その撮影データから確認できる識別表示手段の動作（デモンストレーション）であれば特に限定されないが、特に発光に関するものが簡易に構成できるため好適である。本実施形態では、識別表示手段として発光部１２０を用いるので、その識別表示は、発光部１２０による発光である。発光部１２０による発光（識別表示）は、後述の決定手段が決定する所定表示方法に従って実行される。
【００２８】
本発明において、測定手段が実行した測定の結果を出力する出力手段、及び、識別表示手段が実行する識別表示の識別表示方法に関する信号を受信する受信手段は、通信コネクタ１３０として構成される。通信コネクタ１３０は、第１端末機２００との双方向の通信を可能とする機器である。図１においては、第１端末機２００の通信部２３０に有線で接続して通信する例を示しているが、無線（例えば、赤外線通信、Ｗｉ−Ｆｉ（ｗｉｒｅｌｅｓｓ  ｆｉｄｅｌｉｔｙ：登録商標）等）で通信する形態でもよい。
【００２９】
表示部１４１は、例えば液晶ディスプレイやＥＬ素子であって、被測定者への指示、測定結果その他の情報を表示することができるようになっている。
【００３０】
操作部１４２は、複数の入力スイッチ１４２ａ及び１４２ｂからなる。被測定者及び測定者は、入力スイッチ１４２ａ、１４２ｂを用いて生体情報測定装置１００の各種設定、情報の入力等を行うことができるようになっている。
【００３１】
電源スイッチ１４３は、操作によって生体情報測定装置１００の電源オン・オフを行うことができるようになっている。なお、生体情報測定装置１００の電源オン・オフは、被測定者等が電源スイッチ１４３を操作することにより実行される他にも、ソフトウェアによって自動的に電源オン・オフが制御される形式でも良い。
【００３２】
メモリ１４４は、揮発性メモリ（図示せず）及び不揮発性メモリ（図示せず）などによって構成される記憶手段である。揮発性メモリは、制御部１０１による処理等のための各種データを一時的に記憶し、電源オフによって記憶が消去される。揮発性メモリは、電源オフでも記憶が消去さないため、生体情報測定装置１００の制御プログラム、設定値等の保存に好適である。
【００３３】
電源回路１４５は、電池（バッテリー）などの電力供給源によって構成される電力供給手段であり、生体情報測定装置１００の各構成部材に、制御部１０１を介して電力を供給する。
【００３４】
［カメラ］
カメラ２２０は、被測定者Ｐの生体情報の測定が実行されている時の、被測定者Ｐ及び識別表示手段を撮影可能な撮影手段である。本実施形態においては、カメラ２２０は、生体情報の測定時、少なくとも、被測定者Ｐの本人性を確認可能な部位（例えば、顔）、及び、生体情報測定装置１００の発光部１２０を同時に撮影可能な性能を有するものとして構成すればよく、例えば、ビデオカメラ、ウェブカメラなどが好適である。本実施形態においては、生体情報測定装置１００はアルコール検知器（呼気分析装置）として構成しているので、撮影手段としてのカメラ２２０は、被測定者Ｐがアルコール検知器としての生体情報測定装置１００に対して呼気を吹込んでいる時の、被測定者Ｐの顔及び識別表示手段としての発光部１２０を撮影することができるようになっている。カメラ２２０は、撮影角度を調節可能な台座（図示せず）を介して第１端末機２００の筐体に固定したり、又は、三脚等（図示せず）を用いて設置したりすればよく、その設置方法は特に限定されない。
【００３５】
カメラ２２０は、後述の第１端末機２００に組み込まれて、第１端末機２００と一体的に構成されるものであってもよいし、別体として構成されて、第１端末機２００（制御部２０１）と有線又は無線によって接続可能なものであってもよい。
【００３６】
カメラ２２０は、第１端末機２００（制御部２０１）を介する第２端末機３００（制御部３０１）による制御に従って、又は、第１端末機２００のオペレータ（被測定者、測定者）の操作に従って、撮影の開始や終了等の動作が行われる。カメラ２２０が撮影した撮影データは、第１端末機２００や第２端末機３００へ転送・保存されるなどして、カメラ２２０の撮影内容が、第１端末機２００や第２端末機３００においても確認することができるようになっている。
【００３７】
なお、カメラ２２０は、第１端末機２００（制御部２０１）や第２端末機３００（制御部３０１）による制御を受けない独立のものとして構成してもよく、その場合は、撮影の開始や終了操作をカメラ２２０に対してオペレータが直接行えばよい。また、その撮影データは、カメラ２２０と第１端末機２００とを有線又は無線によって接続して、又は、記憶媒体を介して、第１端末機２００へ転送するようにすればよい。
【００３８】
［第１端末機］
図３に示すように、第１端末機２００は、制御部２０１、演算部２１０、通信部２３０、ディスプレイ２４１、入力部２４２、記憶部２４３、及び、電源部２４４を備える。第１端末機２００は、第２端末機３００から受信した発光指示信号を生体情報測定装置１００に対して中継したり、カメラ２２０によって撮影された被測定者Ｐ及び発光部１２０の撮影データや、生体情報測定装置１００が測定した被測定者の測定データを受け取り、第２端末機３００に送信したりする機能等を備える端末機である。
【００３９】
第１端末機２００は、汎用のパーソナルコンピュータを用いることができ、特に、移動先で被測定者Ｐが使用することを考慮して、持ち運び可能なノート型パーソナルコンピュータ、ＰＤＡ（Ｐｅｒｓｏｎａｌ  Ｄｉｇｉｔａｌ  Ａｓｓｉｓｔａｎｔ）等の携帯端末機を用いることが好適である。
【００４０】
制御部２０１は、第１端末機２００の各構成部材の動作を制御する。演算部２１０は、制御部２０１の指示に従って所定の演算を実行する。
【００４１】
通信部２３０は、生体情報測定装置１００の通信コネクタ１３０、及び、第２端末機３００の通信部３３０と、それぞれ双方向に通信可能である。通信部２３０は、無線又は有線形式の何れでもよい。通信部２３０と通信部３３０との間では、発光指示信号（後述）、第２端末機３００から第１端末機２００、生体情報測定装置１００又はカメラ２２０への各種制御命令、生体測定装置１００が測定した被測定者Ｐの生体情報、カメラ２２０で撮像した撮影データ等の送受信が行われる。通信部２３０と通信コネクタ１３０との間では、前記発光指示信号、生体情報測定装置１００への各種制御命令、生体測定装置１００が測定した被測定者Ｐの生体情報等が送受信される。通信部２３０とカメラ２２０との間では、カメラ２２０への各種制御命令、カメラ２２０で撮像した撮影データ等が送受信される。
【００４２】
ディスプレイ２４１は、制御部２０１の制御によって所定の情報、例えば、カメラ２２０のリアルタイム映像や、撮影した撮影データ、被測定者Ｐの生体情報の測定結果や個人情報等を表示することができるようになっている。
【００４３】
入力部２４２は、キーボード、マウス、及びタッチパネル等の入力手段であり、測定者の操作に対応した信号を制御部２０１に対して出力する。
【００４４】
記憶部２４３は、揮発性メモリ（図示せず）、不揮発性メモリ（図示せず）などによって構成される記憶手段である。揮発性メモリは、制御部２０１による処理等のための各種データを一時的に記憶し、電源オフによって記憶が消去される。また、演算部２１０の演算処理時の記憶領域としても機能する。不揮発性メモリは、電源オフでも記憶が消去さないため、長期保存すべきデータの記憶に利用される。電源部２４４は、電池（バッテリー）などの電力供給源によって構成される電力供給手段であり、第１端末機２００の各構成部材に対して、制御部２０１を介して電力を供給する。
【００４５】
［第２端末機］
図３に示すように、第２端末機３００は、制御部３０１、演算部３１０、通信部３３０、ディスプレイ３４１、入力部３４２、記憶部３４３、及び、電源部３４４を備える。第２端末機３００は、測定を管理する本部等に設置され、生体情報測定装置１００に対する発光部１２０の動作指示、第１端末機２００への各種制御指示、カメラ２２０が撮影した撮影データ及び生体情報測定装置１００が測定した測定結果の受信及び保存、人物の認証のための顔認識処理、等を行う機能を有する。第２端末機３００は、生体情報測定装置１００や第１端末機２００を用いる場所とは異なる場所に設置するため、被測定者Ｐが直接操作することはできず、発光指示信号の発光パターンの内容を探ることはできないことから、発光パターンのセキュリティを高く保つことが可能である。
【００４６】
第２端末機３００は、生体情報測定装置１００及び第１端末機２００を統括する処理を行うことから、汎用のパーソナルコンピュータを用いることが好適である。
【００４７】
制御部３０１は、第２端末機３００の各構成部材の動作を制御する。また、制御部３０１は、本発明による生体情報測定システム１０を稼動するために記憶部３４３に保存されているプログラムに基づいて、発光指示信号生成処理、発光結果判別処理、顔認識処理、等の種々の処理を実行する。
【００４８】
制御部３０１は、上述の生体情報測定装置１００が発光部１２０（識別表示手段）において実行される発光（識別表示）の発光パターン（所定表示方法）を決定する決定手段として機能する。本実施形態においては、識別表示手段として発光部１２０を用いるため、その表示方法とは、発光部１２０の発光方法を意味する。従って、制御部３０１は、発光指示信号生成処理、即ち、発光指示信号に含まれる発光パターンの決定、及び、発光部１２０を発光させる発光指示信号の生成、を実行する。発光部１２０の発光パターンは、一例としては、以下のようなパターン（１）乃至（３）を挙げることができる。
（１）発光部１２０の、オン・オフの切替え、オン時の発光強度の変更、発光色の変更、複数の発光色の組み合わせ、のうち少なくとも１つを任意に変更する発光パターン。
（２）発光信号の波形、周波数、振幅、のうち少なくとも１つを任意に変更する発光パターン。
（３）（１）と（２）とを組み合わせた発光パターン。
【００４９】
不正な測定をより確実に防止するために、制御部３０１（決定手段）は、生体情報測定装置１００による測定が実行される前に、発光パターン（所定表示方法）を決定することが好ましい。特に、制御部３０１は、前回の測定時に決定した発光パターン（所定表示方法）とは異なる内容の発光パターン（所定表示方法）を決定すると、セキュリティレベルが向上するため好適である。さらに、制御部３０１は、１回の測定中に組み合わせて用いられる、異なる複数の発光パターンを決定するようにすることも好ましい。
【００５０】
この発光パターンの決定方法は特に限定されるものではない。一例としては、制御部３０１が、記憶部３４３に予め保存された複数の発光パターンの中から、ランダム抽選によってパターンを自動的に決定するようにすればよい。また、発光パターンの決定は、測定者（管理者）が第２端末機３００の入力部３４２を操作して行い、制御部３０１がそれに従って発光指示信号を生成するように構成してもよい。
【００５１】
制御部３０１は、撮影手段により撮影された識別表示手段における識別表示が、送信手段により送信された所定表示方法に従っているか否かに応じて、撮影手段により撮影された識別表示手段を備える生体情報測定装置が、測定に使用された生体情報測定装置であるか否かを判別する判別手段として機能し、発光結果判別処理を実行する。
より具体的には、この判別を行うために、まず、制御部３０１（判別手段）は、生体情報測定装置１００による生体情報の測定中に、カメラ２２０（撮影手段）が撮影した撮影データに映っている発光部１２０（識別表示手段）の発光（識別表示）が、制御部３０１（決定手段）によって決定され、通信部３３０（送信手段）により送信された発光パターン（所定表示方法）に従っているか否かを判別するようになっている。なお、カメラ２２０が撮影した発光部１２０の発光の撮影データは、既存の手法によって画像処理され、発光に対応する信号波形に変換され、記憶部３４３に保存されるようにしておけばよい。
次に、制御部３０１は、カメラ２２０（撮影手段）により撮影された発光部１２０（識別表示手段）における発光（識別表示）が、制御部３０１（決定手段）により決定され、通信部３３０（送信手段）により送信された発光パターン（所定表示方法）に従っているか否かに応じて、カメラ２２０（撮影手段）により撮影された発光部１２０（識別表示手段）を備える生体情報測定装置１００が、その測定に使用された生体情報測定装置１００であるか否かを判別するようになっている。
【００５２】
制御部３０１は、顔認識処理を実行できるようになっている。本発明による生体情報測定システム１０を使用するに先立って、このシステムを用いて測定される被測定者の氏名、性別、被測定者Ｐの顔画像等、被測定者の本人性を確認可能な情報を、予め、記憶手段としての記憶部３４３に記憶（登録）させておく。そして、制御部３０１（判別手段）は、カメラ２２０（撮影手段）により撮影された被測定者の顔を、記憶部３４３（記憶手段）に記憶されている被測定者Ｐの顔画像と比較して、同一人物であるか否かの判別（顔認識処理）を実行する判別手段として機能する。
【００５３】
即ち、まず、制御部３０１は、カメラ２２０が撮影した撮影データから、被測定者Ｐの顔に関する画像情報を抽出して特徴部分の分析等をした顔データを生成する。次に、制御部３０１は、前記生成された顔データを、登録済みの顔画像と比較する。制御部３０１は、前記比較の結果、前記生成された顔データと、登録済みの顔画像とが、同一人物の顔に関するものであるか否かを識別する。顔認識処理における処理結果は記憶部３４３に保存される。なお、顔認識処理は、既存の手法を用いればよいため、詳細な説明は省略する。
なお、第２端末機３００を操作する測定者（管理者）が、カメラ２２０が撮影した被測定者の顔と、登録済みの顔画像と、をディスプレイ３４１に表示させ、測定者が自ら目視により、同一人物の顔であるか否かを確認し、識別するようにしてもよい。
【００５４】
演算部３１０は、制御部３０１の指示に従って所定の演算を行う。例えば、受信した生体情報の集計等を行う。
【００５５】
通信部３３０は、第１端末機２００の通信部２３０と通信を行うための装置である。通信部３３０は、無線又は有線形式の何れでもよい。通信部２３０から通信部３３０への受信データは、例えば、被測定者Ｐの生体情報の測定結果や、カメラ２２０が撮像した撮影データなどである。通信部３３０から通信部２３０への送信データは、例えば、生成された発光指示信号や、第１端末機２００等に対する各種制御命令などである。これより、制御部３０１が決定した発光パターンに対応する発光指示信号は、第１端末機２００を中継して、生体情報測定装置１００の制御部１０１へ送信される。また、カメラ２２０として遠隔操作対応型のカメラを採用すれば、第２端末機３００の入力部３４２を操作することによって、その動作や向きを制御すること等ができる。本実施形態において、識別表示手段が実行する識別表示の所定表示方法に関する信号を生体情報測定装置１００へ送信する送信手段は、送信を制御する制御部３０１、及び、第２端末機３００の通信部３００、として構成される。
【００５６】
ディスプレイ３４１は、制御部３０１の制御によって所定の情報を表示する表示手段である。ディスプレイ３４１には、カメラ２２０が撮影した撮影データを表示することができ、測定中に生体情報測定装置１００を把持した被測定者Ｐの顔を、発光部１２０の発光とともに映し出すことができるようになっている。また、ディスプレイ３４１には、予め記憶部３４３に記憶された被測定者の登録済みの顔画像や、制御部３０１が決定した発光パターンも映し出すことができる。これにより、測定者（管理者）自身が、発光パターンの一致性、及び、被測定者の同一性、を確認することができるようになっている。また、第１端末機２００及び生体情報測定装置１００係る動作状況や指示用のソフトウェア（図示せず）を表示するようにしてもよい。
【００５７】
入力部３４２は、キーボード、マウス、及びタッチパネル等からなり、測定者の操作に対応した信号を制御部３０１に対して出力する。
【００５８】
記憶部３４３は、揮発性メモリ（図示せず）、不揮発性メモリ（図示せず）などによって構成される記憶手段である。揮発性メモリは、制御部３０１による処理等のための各種データを一時的に記憶、電源オフによって記憶が消去される。また、制御部３０１及び演算部３１０による制御処理や演算処理時の記憶領域としても機能する。不揮発性メモリは、電源オフでも記憶が消去さないため、長期保存すべきデータの記憶に利用される。例えば、システムを用いて測定される被測定者の氏名、性別、被測定者Ｐの顔画像等、被測定者の本人性を確認可能な情報、カメラ２２０による撮影データ、過去の測定結果・判別結果・顔識別結果、各種の閾値、生体情報、及び、本発明による生体情報測定システム１０を稼動するためのプログラム、その他のプログラム、の記憶などに用いることができる。
【００５９】
電源部３４４は、電池（バッテリー）などの電力供給源によって構成される電力供給手段であり、第２端末機３００の各構成部材に、制御部３０１を介して電力を供給する。
【００６０】
［生体情報測定システムの処理］
次に、図４を参照しつつ、本発明の処理について説明する。図４は、生体情報測定システムの処理の流れを示すフローチャートである。
【００６１】
まず、生体情報測定装置１００、第１端末機２００及びカメラ２２０を、営業所等といった被測定者の居る場所に設置し、第２端末機３００を本部等に設置する。また、第２端末機３００の記憶部３４３には、生体情報測定システム１０を用いて測定される被測定者Ｐの氏名、性別、被測定者Ｐの顔画像等、被測定者の本人性を確認可能な情報を予め登録しておく。カメラ２２０は、第１端末機２００の通信部２３０に接続する。それぞれの機器の電源をオンにして（ステップＳ１０１）、生体情報測定装置１００、第１端末機２００、及び第２端末機３００をそれぞれ起動させ、生体情報測定装置１００の通信コネクタ１３０と、第１端末機２００の通信部２３０との間、及び、通信部２３０と第２端末機３００の通信部３３０との間、で通信が可能な状態とする。
【００６２】
なお、カメラ２２０は、少なくとも、測定のために生体情報測定装置１００を把持した被測定者Ｐの顔と、生体情報測定装置１００の発光部１２０と、を同時に撮影できるように、予め所定の位置・向きに配置しておくようにする。また、カメラ２２０が遠隔操作対応可能なカメラである場合には、第２端末機３００の制御部３０１は、カメラ２２０に対して撮影開始を指示する指示信号を送信してカメラ２２０による撮影を開始し、又は、カメラ２２０を直接操作してカメラによる撮影を開始させる。これにより、以後、カメラ２２０が撮影する撮影データは、第１端末機２００を中継して、第２端末機３００へリアルタイムに送信され続ける。
【００６３】
測定者は、第２端末機３００のディスプレイ３４１に映し出された、カメラ２２０からの撮影データを見て、被測定者Ｐが、生体情報測定装置１００を所定の向き・位置に把持したかどうかを確認する。又は、この確認処理を、第２端末機３００の制御部３０１によって実行させるようにしてもよい。これらのうちのいずれかの方法により、少なくとも被測定者Ｐの顔と、生体情報測定装置１００の発光部１２０とが、カメラ２２０で同時に撮影可能な位置にあるか否かを確認し、可能であると確認された場合は、被測定者Ｐの測定開始準備が整ったものとして次のステップに進む。
【００６４】
次に、生体情報測定装置１００による測定を開始する前に、測定者は、第２端末機３００の入力部３４２を操作することにより、制御部３０１により発光パターン（所定表示方法）を決定させ、又は、測定者自身の選択によって発光パターンを決定し、更に、決定された発光パターンにより発光部１２０を発光させるための発光指示信号を制御部３０１により生成させて、生体測定装置１００に対して発光指示信号を送信する（ステップＳ１０２）。発光指示信号は、通信部３３０から第１端末機２００の通信部２３０へ送信され、更に、通信部２３０から生体情報測定装置１００の通信コネクタ１３０へ送信される。
【００６５】
第２端末機３００から第１端末機２００を中継して発光指示信号を受信した生体情報測定装置１００は、この発光指示信号に含まれる発光パターンに従って、発光部１２０の発光を開始させる（ステップＳ１０３）。
【００６６】
カメラ２２０は、前記発光パターンに従って発光する発光部１２０と、被測定者Ｐの顔と、を撮影し続け、第１端末機２００の記憶部２４３に撮影データを保存する。同時に、その撮影データは、通信部２３０及び通信部３３０を介して、第２端末機３００に送信され（ステップＳ１０４）、記憶部３４３に記憶されながら、リアルタイムにその撮影データをディスプレイ３４１に表示させることができる。
【００６７】
第２端末機３００の制御部３０１は、発光結果判別処理及び顔認識処理を実行する（ステップＳ１０５）。
【００６８】
ステップＳ１０５における発光結果判別処理は、カメラ２２０によって撮影された撮影データに映っている発光部１２０の発光が、ステップＳ１０２で送信された発光パターンに従っているか否かが判別され、その結果は記憶部３４３に記憶される。
なお、制御部３０１による発光結果判別処理に替えて、第２端末機３００のディスプレイ３４１に表示される、カメラ２２０によって撮影された撮影データに映っている発光部１２０の発光が、撮影データに写っている発光部１２０の発光Ｓ１０２で送信された発光パターンに従っているか否か、を測定者（管理者）が目視で判別するようにしてもよい。
【００６９】
ステップＳ１０５における顔認識処理は、まず、制御部３０１が、カメラ２２０により撮影された撮影データに基づいて、被測定者Ｐの顔に関する画像情報を抽出して特徴部分の分析等をした顔データを生成する。次に、制御部３０１は、前記生成された顔データを、登録済みの顔画像と比較し、その結果、前記生成された顔データと、登録済みの顔画像とが、同一人物の顔に関するものであるか否かを識別する。
なお、第２端末機３００を操作する測定者（管理者）が、カメラ２２０が撮影した被測定者の顔と、登録済みの顔画像と、をディスプレイ３４１に表示させ、測定者が自ら目視により、同一人物の顔であるか否かを確認し、識別するようにしてもよい。
【００７０】
発光結果判別処理及び顔認識処理の結果、カメラ２２０によって撮影された撮影データに映っている発光部１２０の発光が、ステップＳ１０２で送信された発光パターンに従っており、かつ、撮影データから生成された顔データと、登録済みの顔画像とが、同一人物の顔に関するものと識別された場合（ステップＳ１０６でＹｅｓ）は、第２端末機３００の制御部３０１は、生体情報測定装置１００を測定待機モードに移行する指示信号を送信して、生体情報測定装置１００は測定待機モードに移行する（ステップＳ１０７）。
【００７１】
一方、発光結果判別処理及び顔認識処理の結果、発光パターンに従った発光を実施されていないと判別された場合、及び／又は、同一人物の顔と識別されなかった場合（ステップＳ１０６でＮｏ）、認証エラーとして、所定のエラー処理（ステップＳ１１６）を実行する。エラー処理は、例えば、生体情報測定装置１００の表示部１４１及び第２端末機３００のディスプレイ３４１に、撮影された生体情報測定装置１００が本物でない（ダミー機である）おそれがあることを、例えば「測定器が一致しません」等のメッセージで表示したり、被測定者Ｐの確認に失敗した場合は、例えば「本人認証に失敗しました」等のメッセージを表示部１４１に表示すればよい。また、表示から所定時間経過後に生体情報測定装置１００の電源をオフにする指示信号を第２端末機３００から生体情報測定装置１００に出力し、一定時間メッセージを表示後、生体情報測定装置１００の電源をオフにする（ステップＳ１１７）。これにより、被測定者Ｐが極めて予測困難な発光パターンに従った発光を実行しているかにより、カメラ２２０により撮影された発光部１２０を備える生体情報測定装置１００が、測定に使用された生体情報測定装置１００そのものと判別され、かつ、カメラ２２０により撮影された被測定者Ｐが本人であることが判別できるため、いわゆる替え玉による不正な測定を効果的に防止することができる。
【００７２】
生体情報測定装置１００は、測定待機モードとなると（ステップＳ１０７）、被測定者Ｐによる呼気の吹込みを検知したか否かを判断する（ステップＳ１０８）。吹込みが検知されない場合（ステップＳ１０８でＮｏ）において、制御部１０１は、測定待機モード開始からの時間を計測し、測定待機モード開始からの経過時間が予めメモリ１４４に保存した待機時間に達したか否かを判断する（ステップＳ１０９）。このとき、表示部１４１には、例えば「測定を開始します。息を吹込んで下さい」等の、測定の開始を促すメッセージを表示するとよい。
【００７３】
生体情報測定装置１００の制御部１０１は、吹込口１１２への呼気の吹込みが検知されない間（ステップＳ１０８でＮｏ）は、測定待機モード開始からの経過時間が、予め設定した待機時間に到達しているか否かの監視を継続する（ステップＳ１０９）。制御部１０１は、経過時間が前記待機時間に到達していない場合（ステップＳ１０９でＮｏ）は、ステップＳ１０８に戻り、呼気吹込みの検知の監視を継続する。
【００７４】
生体情報測定装置１００の制御部１０１は、被測定者Ｐが吹込口１１２に息を吹込んだことを検知した場合（ステップＳ１０８でＹｅｓ）、生体情報測定装置１００は、呼気測定モード（ステップＳ１１０）を開始する。
【００７５】
これに対して、吹込口１１２への呼気の吹込みが検知されず（ステップＳ１０８でＮｏ）、かつ、前記経過時間が前記待機時間に到達した場合（ステップＳ１０９でＹｅｓ）、測定開始の意思が無いものとして、測定待機モードを終了し、エラー処理（ステップＳ１１６）を実行する。この場合のエラー処理としては、例えば、「待機時間が終了」した旨のメッセージを、生体情報測定装置１００の表示部１４１及び第２端末機３００のディスプレイ３４１に表示すればよい。また、表示から所定時間経過後に生体情報測定装置１００の電源をオフにする指示信号を第２端末機３００から生体情報測定装置１００に出力し、一定時間メッセージを表示後、生体情報測定装置１００の電源をオフにする（ステップＳ１１７）。
【００７６】
呼気測定モード（ステップＳ１１０）が開始されると、第２端末機３００の制御部３０１の制御に基づいて、発光部１２０による発光を実行しつつ、被測定者Ｐの生体情報を測定する。そして、カメラ２２０による再撮影を実施する。
【００７７】
前記呼気測定モードが開始されると、生体情報測定装置１００の制御部１０１は、測定（呼気分析）のために必要な吹込み時間（測定時間）が経過するまで、被測定者による吹込口１１２への吹込みが継続されているか否かを監視する（ステップＳ１１１）。なお、この時も、発光部１２０は、ステップＳ１０２で送信された発行指示信号の発光パターンに従って、発光を継続している。
【００７８】
呼気の吹込みが、測定時間の経過前に中断された場合（ステップＳ１１１でＮｏ）、エラー処理を実行する（ステップＳ１１６）。この場合のエラー処理としては、例えば、吹込みが測定時間経過前に中断したため測定を終了する旨を、生体情報測定装置１００の表示部１４１及び第２端末機３００のディスプレイ３４１に表示すればよい。また、表示から所定時間経過後に生体情報測定装置１００の電源をオフにする指示信号を第２端末機３００から生体情報測定装置１００に出力し、一定時間メッセージを表示後、生体情報測定装置１００の電源をオフにする（ステップＳ１１７）。
【００７９】
吹込みが継続している場合（ステップＳ１１１でＹｅｓ）、ステップＳ１０５と同様にして、第２端末機３００の制御部３０１は、発光結果判別処理及び顔認識処理を実行する（ステップＳ１１２）。即ち、制御部３０１（判別手段）は、カメラ２２０（撮影手段）が撮影した撮影データをリアルタイムに分析することにより、測定が実行されている時に、発光結果判別処理及び顔認識処理を実行するものである。
なお、ステップＳ１０５と同様に、制御部３０１による発光結果判別処理に替えて、第２端末機３００のディスプレイ３４１に表示される、カメラ２２０によって撮影された撮影データに映っている発光部１２０の発光が、撮影データに写っている発光部１２０の発光がＳ１０２で送信された発光パターンに従っているか否か、を測定者（管理者）が目視で判別するようにしてもよい。
【００８０】
発光結果判別処理及び顔認識処理の結果、カメラ２２０によって撮影された撮影データに映っている発光部１２０の発光が、ステップＳ１０２で送信された発光パターンに従っており、かつ、撮影データから生成された顔データと、登録済みの顔画像とが、同一人物の顔に関するものと識別された場合（ステップＳ１１３でＹｅｓ）は、ガス検出部１１０は、吹込みによって採取した呼気からアルコール濃度を測定し、測定結果として、メモリ１４４に被測定者Ｐの個人情報と共に記憶するとともに、通信コネクタ１３０から送信され、通信部２３０、３３０を介して、第２端末機３００に送信され、記憶部３４３に記憶される（ステップＳ１１４）。
一方、発光結果判別処理及び顔認識処理の結果、発光パターンに従った発光を実施されていないと判別された場合、及び／又は、同一人物の顔と識別されなかった場合（ステップＳ１１３でＮｏ）、認証エラーとして、所定のエラー処理（ステップＳ１１６）を実行する。
これにより、被測定者Ｐが極めて予測困難な発光パターンに従った発光を実行しているかにより、カメラ２２０により撮影された発光部１２０を備える生体情報測定装置１００が、測定に使用された生体情報測定装置１００そのものと判別され、かつ、カメラ２２０により撮影された被測定者Ｐが本人であることが判別でき、しかも、これらの判別を生体情報の測定中に実行するため、いわゆる替え玉による不正な測定をより一層効果的に防止することができる。
【００８１】
なお、この発光結果判別処理及び顔認識処理は、第２端末機３００を操作する測定者（管理者）が、カメラ２２０が撮影した被測定者の顔と、登録済みの顔画像と、をディスプレイ３４１に表示させ、測定者が自ら目視により、同一人物の顔であるか否かを確認し、識別するようにしてもよい。
【００８２】
第２端末機３００の制御部３０１は、表示部１４１に、前記測定結果を表示する（ステップＳ１１５）。前記測定結果を一定時間表示後、生体情報測定装置１００の電源をオフにする（ステップＳ１１７）。
【００８３】
以上のように構成されたことから、上記実施形態によれば、次の効果を奏する。
（１）生体情報測定装置１００の発光部１２０による発光は、従来のように一定の発光色で点灯し続けるというものではなく、被測定者にとって極めて予測のし難い変化を伴う発光を実現できるため、被測定者が不正な意図をもってダミー機を準備することが極めて困難なものとなり、不正な測定を防止することができる。
（２）カメラ２２０が撮影した発光部１２０の発光パターンと、第２端末機３００が送信した発光パターンと、が一致しているか否かを判別することにより、撮影された生体情報測定装置１００と、測定に使用された測定装置と、が同一であることを確認することができ、ダミー機を用いる不正を防止することができる。
（３）カメラ２２０が撮影した撮影データから抽出・生成された顔データと、予め第２端末機３００の記憶部３４３に保存されている登録済みの顔画像と、が同一人物のものであるか否かを識別することにより、撮影された人物が被測定者本人であることを確認することができ、人物を摩り替える不正を防止することができる。
（４）上記（１）乃至（３）の組合せにより、更に、ダミー機及び被測定者以外の人物を使った不正な測定を効果的に防止することができる。
（５）所定の発光パターンによる発光指示信号を送信する第２端末機３００を、被測定者がいる測定場所とは別の場所に配置することにより、被測定者が発光パターンを予め知ることができなくなり、また、被測定者が発光パターンを決定することはできないことから、不正を防止することができる。
【００８４】
［第１実施形態の変形例１］
上記の第１実施形態では、カメラ２２０により撮影された生体情報測定装置が、測定に用いた装置と同一であることを判別するために、生体情報測定装置１００に発光部１２０を設けたが、本発明において、識別表示手段は、発光部１２０に限定されるものではない。即ち、発光部１２０に代えて、又は、これに加えて、所定画像の表示と非表示との切替え、及び／又は，前記所定画像の内容の変更が可能な画像表示部（図示せず）を設けてもよい。生体情報測定装置１００の表示部１４１を画像表示部として兼ねてもよいし、表示部１４１とは別に画像表示部を設ける構成としてもよい。
【００８５】
識別表示手段として画像表示部を用いる場合には、その識別表示とは画像表示部に映し出される画像を意味する。第１実施形態において説明した制御部３０１による発光指示信号生成処理と同様にして、制御部３０１によって画像表示指示信号生成処理を実行させるようにする。即ち、制御部３０１は、上述の生体情報測定装置が画像表示手段（識別表示手段）において実行される所定画像の表示（識別表示）の画像表示パターン（所定表示方法）を決定する決定手段として機能する。制御部３０１は、画像表示部が表示する画像表示パターンを含む画像表示指示信号を生成し、生体情報測定装置１００に送信する。画像表示パターンは、所定画像（動画と静止画とを問わない。）の表示と非表示との切替え、及び／又は，所定画像の内容（例えば、記号、図柄、色彩）の変更に関するものとして設定すればよい。
【００８６】
生体情報測定装置１００は、画像表示指示信号を受信すると、それに含まれる画像表示パターンに従って画像表示部において所定画像の表示を実行する。カメラ２２０は、画像表示パターンに従って所定画像を表示する画像表示部と被測定者Ｐの顔とを撮影し、その撮影データは第２端末機３００へ送信される。第２端末機３００の制御部３０１は、第１実施形態における発光結果判別処理と同様にして、画像表示結果判別処理を実行する。即ち、制御部３０１は、カメラ２２０（撮影手段）により撮影された画像表示手段（識別表示手段）における所定画像の表示（識別表示）が、通信部３３０（送信手段）から送信された画像表示パターン（所定表示方法）に従っているか否かに応じて、カメラ２２０（撮影手段）により撮影された画像表示手段（識別表示手段）を備える生体情報測定装置が、測定に使用された生体情報測定装置であるか否かを判別する判別手段として機能し、画像表示結果判別処理を実行する。
【００８７】
［第１実施形態の変形例２］
上記の第１実施形態では、発光結果判別処理及び顔認識処理を、測定開始前及び測定中のそれぞれで実施する例を説明した（図４のステップＳ１０５、Ｓ１１２参照）が、本発明はこれに限定されるものではない。被測定者の生体情報の測定中に撮影された撮影データに基づいて、発光結果判別処理及び顔認識処理（図４のステップＳ１１２参照）を実行し、測定開始前における発光結果判別処理及び顔認識処理（図４のステップＳ１０５参照）は省略した生体情報測定システム及び生体情報測定方法として構成することも可能である。測定開始前に発光結果判別処理及び顔認識処理を実行したとしても、その直後、測定開始前に、被測定者が摩り替わる可能性は払拭できず、替え玉による不正な測定を防ぐことはできないが、被測定者の生体情報の測定中に、発光結果判別処理及び顔認識処理を実行すれば、そのような不正な測定を防止できるからである。
【００８８】
また、制御部３０１は、測定者（管理者）による操作又は制御部３０１による自動処理に応じて、発光指示信号を生体情報測定装置１００に対して任意のタイミングで不定期に送信し、その発光指示信号に従った発光を発光部１２０が開始した時に、発光結果判別処理を実施するようにしてもよい。どのようなタイミングで発光指示信号が送信されて発光部１２０が発光するのか、が被測定者には予測困難となるため、不正な測定を防止できる。
【００８９】
［第１実施形態の変形例３］
図４に示すように、上記の第１実施形態では、発光部１２０による発光は、ステップＳ１０２で送信された発光指示信号（発光パターン）に従ってステップＳ１０３で開始され、その後もその発光指示信号（発光パターン）に従って発光し続けるものである。そのため、測定開始前に実施される発光結果判別処理（ステップＳ１０５参照）は、測定中に実施される発光結果判別処理（ステップＳ１１２参照）は、同一の発光指示信号（発光パターン）に従って発光部１２０が発光しているかを判別するものであるが、本発明はこれに限定されるものではない。例えば、発光部１２０による発光は、ステップＳ１０５の発光結果判別処理後に停止し、ステップＳ１１２の発光結果判別処理が開始される前に、制御部３０１は、別の新たな発光指示信号を生成して生体情報測定装置１００に送信し、その新たな発光指示信号に従った発光を発光部１２０が開始した後に、発光結果判別処理（ステップＳ１１２参照）を実施するようにしてもよい。このように、発光パターンを変えることにより、発光部１２０の発光方法が被測定者から測定され難くなるため、セキュリティレベルの向上を図ることができる。
【００９０】
［第１実施形態の変形例５］
上記の第１実施形態では、カメラ２２０が撮影した撮影データは、第１端末機２００を中継して、第２端末機３００へリアルタイムに送信され（図４のステップＳ１０４参照）、また、発光結果判別処理及び顔認識処理（図４のステップＳ１０５、Ｓ１１２参照）もリアルタイムに実行される場合について説明したが、本発明はこれに限定されるものではない。カメラ２２０によって撮影された測定中の被測定者の顔及び発光部１２０の撮影データと、生体情報測定装置１００が測定した測定結果と、を同期させて一時的に第１端末機２００の記憶部２４３にて保存しておき、第２端末機３００から第１端末機２００に対して要求された時に、撮影データが第１端末機２００から第２端末機３００へ送信されて、事後的に発光結果判別処理及び顔認識処理が実行されるように構成することも可能である。特に、発光結果判別処理及び／又は顔認識処理を、測定者（管理者）が目視で判別する構成とした場合、必ずしもその測定者が第２端末機３００に常駐しているとは限らない。そこで、本変形例のように構成することにより、測定者（管理者）が例え離席中であっても、被測定者の生体情報の測定を円滑に行うと同時に、測定の正当性を事後的に検証できるようにすることができる。
【００９１】
［第２実施形態］
以下、図５及び図６を参照して、本発明に係る第２実施形態について説明する。図５は、第２実施形態の生体情報測定システムの概略構成を示す概念図、図６は、カメラ付き生体情報測定装置の構成を示す平面図である。
【００９２】
図５に示すように、第２実施形態に係る生体情報測定システム２０は、発光部５２０及びカメラ５５０を備える生体情報測定装置５００と、生体情報測定装置５００の通信コネクタ５３０を介して相互に通信可能に接続された端末機６００と、を備える。
【００９３】
図６に示すように、生体情報測定装置５００は、図１に示す生体情報測定装置１００にカメラ２２０が組み込まれた構成になっており、それ以外の構成は、生体情報測定装置１００と同一であるため、各構成についての詳細な説明を省略する。カメラ５５０は、測定が実行されている時の、被測定者Ｐ及び発光部５２０（識別表示手段）を撮影可能な撮影手段である。カメラ５５０は、発光部５２０及び吹込口５１２をくわえた被測定者Ｐを、同時に撮影することが可能であり、第１実施形態におけるカメラ２２０と同様の機能を有する。
【００９４】
生体情報測定システム２０を構成する生体情報測定装置５００及び端末機６００のそれぞれは、次の機能を有するように構成される。
生体情報測定装置５００は、所定表示方法に従って識別表示手段において識別表示を実行しながら、被測定者の生体情報の測定を実行する生体情報測定装置、及び、測定が実行されている時の被測定者の顔及び前記識別表示手段を撮影可能な撮影手段、として機能するように構成される。また、端末機６００は、識別表示手段が実行する識別表示の所定表示方法を決定する決定手段、及び、撮影手段により撮影された識別表示手段における識別表示が、送信手段により送信された所定表示方法に従っているか否かに応じて、撮影手段により撮影された識別表示手段を備える生体情報測定装置が、測定に使用された生体情報測定装置であるか否かを判別する判別手段、として機能するように構成される。
【００９５】
通信コネクタ５３０は、第１実施形態と同様に、端末機６００との双方向の通信を可能とする機器である。図５においては、端末機６００と有線接続して通信する例を示しているが、無線（例えば、赤外線通信、Ｗｉ−Ｆｉ（ｗｉｒｅｌｅｓｓ  ｆｉｄｅｌｉｔｙ：登録商標）等）で通信する形態でもよい。なお、本実施形態において、識別表示手段が実行する識別表示の所定表示方法に関する信号を生体情報測定装置５００へ送信する送信手段は、送信を制御する端末機６００の制御部（図示せず）、及び、端末機６００の通信部（図示せず）、として構成される。
従って、第２実施形態では、第１実施形態と比較すると、主として中継機能を果たす端末機（第１端末機２００）を１台省略することが可能となる。
【００９６】
上述の第１実施形態や第２実施形態（変形例を含む。）においては、被測定者の生体情報は呼気のアルコール濃度として説明したが、本発明はこれに限定されるものではなく、例えば、血圧、脈拍、身長、体重、体脂肪、骨密度等、個人を特定して測定すべき生体情報に広く用いることが可能である。
【００９７】
本発明について上記実施形態を参照しつつ説明したが、本発明は上記実施形態に限定されるものではなく、改良の目的又は本発明の思想の範囲内において改良又は変更が可能である。
【産業上の利用可能性】
【００９８】
以上のように、本発明に係る生体情報測定システムは、測定者と被測定者が別の場所にいるときの不正行為の防止に有用である。
【符号の説明】
【００９９】
１０、２０    生体情報測定システム
１００  生体情報測定装置
１０１  制御部
１１０  ガス検出部
１１１  マウスピース
１１２  吹込口
１１３  排気口
１２０  発光部
１３０  通信コネクタ
１４１  表示部
１４２  操作部
１４３  電源スイッチ
１４４  メモリ
２００  第１端末機
２０１  制御部
２１０  演算部
２２０  カメラ
２３０  通信部
２４１  ディスプレイ
２４２  入力部
２４３  記憶部
２４４  電源部
３００  第２端末機
３０１  制御部
３１０  演算部
３２０  カメラ
３３０  通信部
３４１  ディスプレイ
３４２  入力部
３４３  記憶部
３４４  電源部
５００  生体情報測定装置
５１０  ガス検出部
５１１  マウスピース
５１２  吹込口
５１３  排気口
５２０  発光部
５３０  通信コネクタ
５４１  表示部
５４２  操作部
５４３  電源スイッチ
５５０  カメラ
６００  端末機
Ｐ      被測定者
【図１】
2013192859.tif 000003
【図２】
2013192859.tif 000004
【図３】
2013192859.tif 000005
【図４】
2013192859.tif 000006
【図５】
2013192859.tif 000007
【図６】
2013192859.tif 000008